(57)【要約】【課題】  記録媒体を決定する際の、ユーザーの利便性を向上させることを目的とする。【解決手段】  記録を行う記録媒体の特性を光学センサ２０１によって測定する。基準となる特性値と測定値に基づき記録媒体の種類を抽出し、入出力部４０６によって通知する。基準となる特性値をリセットし、初期値に設定することができるようにする。【選択図】  図１６
2020163599.tif 000002
【特許請求の範囲】
【請求項１】
記録装置で使用される記録媒体の特性を測定手段によって測定した測定結果を取得する取得手段と、
前記取得手段で取得した前記測定結果と、予め記憶された基準となる記録媒体の特性値と、に基づいて前記記録装置で使用されると決定された記録媒体の種類に対応する情報を入力するための入力手段と、を備える情報処理装置であって、
前記記録媒体の種類を決定する際に利用する、前記入力手段によって入力された前記記録媒体の種類に対応する基準となる記録媒体の特性値を変更する変更手段とを更に有し、
前記入力手段には、前記変更手段によって前記基準となる記録媒体の特性値に対して行われた変更を元に戻すことを示す情報を入力可能であることを特徴とする情報処理装置。
【請求項２】
前記入力手段に、前記変更手段によって前記基準となる記録媒体の特性値に対して行われた変更を元に戻すことを示す情報が入力された場合には、前記変更手段は前記変更手段によって前記基準となる記録媒体の特性値に対して行われた変更を元に戻すことを特徴とする請求項１に記載の情報処理装置。
【請求項３】
前記入力手段に、所定の記録媒体の種類について、前記変更手段によって前記基準となる記録媒体の特性値に対して行われた変更を元に戻すことを示す情報が入力された場合には、前記変更手段は前記所定の記録媒体の種類について前記変更手段によって前記基準となる記録媒体の特性値に対して行われた変更を元に戻す処理を行うことを特徴とする請求項１または２に記載の情報処理装置。
【請求項４】
前記入力手段に入力可能な前記変更手段によって前記基準となる記録媒体の特性値に対して行われた変更を元に戻すことを示す情報は、当該変更を全て元に戻すことを示すリセット情報であることを特徴とする請求項１乃至３のいずれか１項に記載の情報処理装置。
【請求項５】
前記変更手段が前記変更を全てを元に戻したときの前記基準となる記録媒体の特性値は、前記記録装置を最初に使用する前に予め記憶されている基準となる記録媒体の特性値の初期値であることを特徴とする請求項４に記載の情報処理装置。
【請求項６】
前記基準となる記録媒体の特性値と、前記初期値を記憶する記憶手段を有し、
前記入力手段に前記リセット情報が入力された場合には、前記変更手段は前記基準となる記録媒体の特性値を前記初期値に設定することを特徴とする請求項５に記載の情報処理装置。
【請求項７】
前記初期値と、前記初期値を補正するための補正値を記憶する記憶手段を有し、
前記基準となる記録媒体の特性値は、前記初期値を前記補正値によって補正した値であり、
前記変更手段は前記補正値を変更することによって前記基準となる記録媒体の特性値を変更する手段であって、
前記入力手段に前記リセット情報が入力された場合には、前記変更手段は前記補正値に対して行われた前記変更手段による変更を元に戻すことを特徴とする請求項５に記載の情報処理装置。
【請求項８】
前記入力手段には、前記記録装置を制御するための前記記録装置に関する情報と、前記記録装置に関する情報の変更を元に戻すことを示す情報を入力することが可能であり、
前記入力手段に前記記録装置に関する情報が入力された場合には、前記変更手段は入力された情報に従って、前記記録装置に関する情報を変更して設定し、
前記入力手段に前記記録装置に関する情報の変更を元に戻すことを示す情報が入力された場合には、前記変更手段は前記記録装置に関する情報を元に戻して設定することを特徴とする請求項１乃至７のいずれか１項に記載の記録装置。
【請求項９】
前記入力手段には、前記記録装置で使用された記録媒体の種類を示す使用履歴の情報の変更を元に戻すことを示す情報を入力可能であることを特徴とする請求項１乃至８のいずれか１項に記載の情報処理装置。
【請求項１０】
前記入力手段に入力される前記記録装置で使用されると決定された記録媒体の種類に対応する情報は、更に前記記録装置で使用された記録媒体の種類を示す使用履歴の情報に基づくことを特徴とする請求項１乃至９のいずれか１項に記載の情報処理装置。
【請求項１１】
前記入力手段に、前記使用履歴の情報の変更を元に戻すことを示す情報が入力された場合には、前記変更手段は前記使用履歴の情報を空の状態にすることを特徴とする請求項９または１０に記載の情報処理装置。
【請求項１２】
前記入力手段に、所定の記録媒体の種類について、前記使用履歴の情報の変更を元に戻すことを示す情報が入力された場合には、前記変更手段は前記使用履歴の情報のうち前記所定の記録媒体の種類についての使用履歴の情報を削除することを特徴とする請求項９乃至１１のいずれか１項に記載の情報処理装置。
【請求項１３】
請求項１乃至１２のいずれか１項に記載の情報処理装置と、
記録媒体に記録材を付与する記録手段と、
記録媒体を、記録を行う位置に搬送する搬送手段と、を有し、
前記搬送手段が前記記録媒体を前記記録手段が記録を行うことのできる位置に搬送すると、前記記録手段は前記記録媒体に記録を行うことを特徴とする記録装置。
【請求項１４】
前記記録装置は前記記録手段を搭載して移動可能なキャリッジを有し、
前記測定手段は前記キャリッジに搭載され、前記搬送手段によって前記測定手段が測定することのできる位置に搬送された前記記録媒体の特性を測定することを特徴とする請求項１３に記載の記録装置。
【請求項１５】
記録装置で使用される記録媒体の特性を測定し、
測定した測定結果と、予め記憶された基準となる記録媒体の特性値と、に基づいて前記記録装置で使用する記録媒体の種類を決定し、
前記使用すると決定された記録媒体の種類に対応する情報を入力することが可能である情報処理方法であって、
前記記録媒体の種類を決定する際の入力された前記記録媒体の種類に対応する基準となる記録媒体の特性値を変更し、
前記基準となる記録媒体の特性値に対して行われた変更を元に戻すことを示す情報を入力可能であることを特徴とする情報処理方法。
【請求項１６】
コンピュータを請求項１乃至請求項１１のいずれか１項に記載の情報処理装置の各手段として機能させるためのプログラム。
【発明の詳細な説明】
【技術分野】
【０００１】
本発明は、情報処理装置、記録装置、情報処理方法、及びプログラムに関する。
【背景技術】
【０００２】
記録装置において記録を行う際に、記録媒体の種類に応じた制御パラメータを使用して記録を行うことが知られている。特許文献１には、適切な制御パラメータを使用して記録を行うために、記録対象の記録媒体の複数の特性値を測定し、基準となる値と比較することで記録媒体の種類を判別することが開示されている。
【先行技術文献】
【特許文献】
【０００３】
【特許文献１】特開２０１６−２１５５９１号公報
【発明の概要】
【発明が解決しようとする課題】
【０００４】
しかしながら、記録媒体の特性値を測定するセンサの誤差及び記録媒体の個体差や測定環境の違いなどが測定値に影響を与えるため、予め用意した基準を使用した場合に十分な精度で記録媒体の種類を判別することができない虞があり、ユーザーの利便性が良くない。
【０００５】
本発明は上記課題に鑑みてなされたものであり、ユーザーの利便性を向上させることを目的とする。
【課題を解決するための手段】
【０００６】
本発明は、記録装置で使用される記録媒体の特性を測定手段によって測定した測定結果を取得する取得手段と、前記取得手段で取得した前記測定結果と、予め記憶された基準となる記録媒体の特性値と、に基づいて前記記録装置で使用されると決定された記録媒体の種類に対応する情報を入力するための入力手段と、を備える情報処理装置であって、前記記録媒体の種類を決定する際に利用する、前記入力手段によって入力された前記記録媒体の種類に対応する基準となる記録媒体の特性値を変更する変更手段とを更に有し、前記入力手段には、前記変更手段によって前記基準となる記録媒体の特性値に対して行われた変更を元に戻すことを示す情報を入力可能であることを特徴とする。
【発明の効果】
【０００７】
本発明によれば、ユーザーの利便性が向上する。
【図面の簡単な説明】
【０００８】
【図１】第１の実施形態に係る記録装置の構成を示す斜視図である。
【図２】第１の実施形態に係るキャリッジの構成を示す図である。
【図３】第１の実施形態における光学センサの構成を示す図である。
【図４】第１の実施形態における記録装置の制御系のブロック構成を示す図である。
【図５】第１の実施形態における記録媒体決定処理を示すフローチャートである。
【図６】第１の実施形態における入出力部の表示形態を示す図である。
【図７】第１の実施形態においてＥＥＰＲＯＭに記憶されている特性値を示す表である。
【図８】入出力部の他の形態を示す図である。
【図９】第１の実施形態において測定される測定値の例を示す表である。
【図１０】第１の実施形態の記録媒体決定処理における判定結果を示す表である。
【図１１】第１の実施形態の順位づけを示す表である。
【図１２】第１の実施形態における特性値を算出する方法を説明するための表である。
【図１３】第２の実施形態における記録媒体決定処理を示すフローチャートである。
【図１４】第２の実施形態における履歴情報を示す表である。
【図１５】第２の実施形態における入出力部の表示形態を示す図である。
【図１６】第４の実施形態におけるリセット処理を示すフローチャートである。
【図１７】第４の実施形態における入出力部の表示形態を示す図である。
【図１８】第４の実施形態における推定データをリセットする処理を示すフローチャートである。
【図１９】第４の実施形態における記録媒体情報をリセットする処理を示すフローチャートである。
【図２０】第４の実施形態における記録媒体の種類毎にリセットする処理を示すフローチャートである。
【発明を実施するための形態】
【０００９】
（第１の実施形態）
＜全体構成＞
図１は、記録装置１００の構成を示す斜視図であり、キャスターおよび排紙のためのバスケットが取り付けられている。図１（ａ）は全体の外観を示し、図１（ｂ）は上部カバーを開けて内部構造が見える状態を示す。本実施形態における記録装置１００は、インクジェット記録方式により、記録媒体上に記録材としてインク滴を付与することにより記録を行う。記録媒体はＹ方向を搬送方向として搬送される。そして、記録ヘッド１０２を搭載したキャリッジ１０１はＹ方向と交差するＸ方向に往復移動して記録を行う、いわゆるシリアル型記録ヘッドを備えるインクジェット記録装置について説明する。しかしながら、ノズル列が記録媒体の搬送の記録幅に亘って構成された、いわゆるライン型記録ヘッドを備えるインクジェット記録装置が用いられても良い。また、記録機能だけでなく、スキャン機能やＦＡＸ機能、送信機能等が一体化された多機能型周辺装置（ＭＦＰ）でもよい。また、記録材として粉末トナーを用いる電子写真方式の記録装置でもよい。本実施形態では、後述する使用する記録媒体の決定処理を行うための情報処理装置の機能は記録装置１００に搭載されている。
【００１０】
記録装置１００の上部に入出力部４０６を備える。入出力部４０６は操作パネルであり、ディスプレイにインク残量や記録媒体の種類の候補を表示し、ユーザーはキーを操作することにより記録媒体の種類を選択したり記録の設定を行ったりすることができる。
【００１１】
キャリッジ１０１は、光学センサ２０１（図２）と、インクを吐出する吐出口が設けられた吐出口面が形成された記録ヘッド１０２とを有する。キャリッジ１０１は、キャリッジモータ４１５（図４）の駆動により、キャリッジベルト１０３を介してシャフト１０４に沿ってＸ方向（キャリッジの移動方向）に往復移動可能に構成されている。本実施形態において、記録装置１００は、光学センサ２０１により、記録媒体１０５の表面上の乱反射特性値や正反射特性値を取得したり、キャリッジ１０１と記録媒体１０５との間の距離を測定したりすることが可能である。
【００１２】
ロール紙等の記録媒体１０５は、不図示の搬送ローラによりプラテン１０６上をＹ方向に搬送される。搬送ローラによりプラテン１０６上に搬送された記録媒体１０５上をキャリッジ１０１がＸ方向に移動しながら、記録ヘッド１０２からインク滴を吐出することで記録動作が行われる。キャリッジ１０１が記録媒体１０５上の記録領域の端まで移動すると、搬送ローラは記録媒体１０５を一定量搬送し、次の記録走査を行う領域を記録ヘッド１０２が記録可能な位置に移動させる。以上の動作の繰り返しにより画像の記録が行われる。
【００１３】
＜キャリッジ構成＞
図２は、キャリッジ１０１の構成を示す図である。キャリッジ１０１は、トランスレータ２０２とヘッドホルダ２０３とを備えて構成されている。ヘッドホルダ２０３は、記録ヘッド１０２と反射型センサである光学センサ２０１を含む。図２に示すように、光学センサ２０１は、底面が記録ヘッド１０２の底面と同位置若しくはそれよりも高くなるように、構成されている。
【００１４】
＜光学センサ構成＞
図３は、光学センサ２０１の構成を示す断面模式図である。光学センサ２０１は、光学素子として第１のＬＥＤ３０１、第２のＬＥＤ３０２、第３のＬＥＤ３０３、第１のフォトダイオード３０４、第２のフォトダイオード３０５、第３のフォトダイオード３０６を含む。第１のＬＥＤ３０１は、記録媒体１０５の表面（測定面）に対して法線（９０°）の照射角を有する光源である。第１のフォトダイオード３０４は、第１のＬＥＤ３０１から照射され記録媒体１０５からの反射光をＺ方向４５°の角度で受光する。つまり、記録媒体１０５からの反射光のいわゆる乱反射成分を検出する光学系を形成する。
【００１５】
第２のＬＥＤ３０２は、記録媒体１０５の表面（測定面）に対してＺ方向６０°の照射角を有する光源である。第１のフォトダイオード３０４は、第２のＬＥＤ３０２から照射され記録媒体１０５からの反射光をＺ方向６０°の角度で受光する。つまり、発光と受光の角度が等しくなり、記録媒体１０５からの反射光のいわゆる正反射成分を検出する光学系を形成する。
【００１６】
第３のＬＥＤ３０３は、記録媒体１０５の表面（測定面）に対して法線（９０°）の照射角を有する光源である。第２のフォトダイオード３０５と第３のフォトダイオード３０６は、第３のＬＥＤ３０３から照射され記録媒体１０５からの反射光を受光する。第２のフォトダイオード３０５と第３のフォトダイオード３０６は、それぞれの受光量が光学センサ２０１と記録媒体１０５との距離に応じて変化することで、光学センサ２０１と記録媒体１０５との距離を測定する。
【００１７】
本実施形態では光学センサはキャリッジに設置されているが、他の形態でもよい。例えば、記録装置に固定して設置されていてもよいし、あるいは記録装置とは別体の記録媒体の乱反射や正反射等の特性値を測定するための測定機器であって、測定機器によって測定した特性値を記録装置に送信する形態でもよい。
【００１８】
＜ブロック図＞
図４は、記録装置１００の制御系のブロック構成を示す図である。ＲＯＭ４０２は、不揮発性メモリであり、例えば、記録装置１００を制御するための制御プログラムや、本実施形態の動作を実現させるためのプログラムが記憶されている。本実施形態の動作は、例えば、ＣＰＵ４０１がＲＯＭ４０２に記憶されたプログラムをＲＡＭ４０３に読み出して実行することにより実現される。ＲＡＭ４０３は、ＣＰＵ４０１のワーキングメモリとしても用いられる。ＥＥＰＲＯＭ４０４は、記録装置１００の電源がオフとされても保持しておくべきデータを記憶する。少なくとも、ＣＰＵ４０１とＲＯＭ４０２が、後述する記録媒体決定処理をするための情報処理装置の機能を実現する。また、ＥＥＰＲＯＭ４０４は、予め定められた基準として利用する各記録媒体の特性値や、各記録媒体のカテゴリを記憶する。カテゴリとは記録媒体の種類を大きく分類したものであり、本実施形態においては、光沢紙、普通紙、コート紙、フィルム用紙、スペシャル、の５つが設定されている。例えば記録媒体がスタンダード光沢紙であるならば光沢紙のカテゴリ、プレミアム普通紙ならば普通紙のカテゴリに分類されている。記録媒体は紙媒体ではない媒体も含むが、本実施形態においてはユーザーに対して「用紙」という文言を用いて通知を行う。履歴情報や各記録媒体の特性値は記録装置内の記憶媒体ではなく、ホストコンピュータのＲＯＭやサーバーなどの外部メモリに記憶してもよい。
【００１９】
インタフェース（Ｉ／Ｆ）回路４１０は、記録装置１００と外部のＬＡＮ等のネットワークとを接続する。記録装置１００は、Ｉ／Ｆ回路４１０により、外部のホストコンピュータ等の装置との間で各種ジョブやデータ等の送受信を行う。
【００２０】
入出力部４０６は、入力部と出力部を含む。入力部はユーザーからの電源投入の指示や、記録実行の指示、各種機能の設定の指示を受け付ける。出力部は省電力モード等の各種装置情報や、記録装置１００が実行可能な各種機能の設定画面を表示する。本実施形態では入出力部４０６は記録装置１００に備えられた操作パネルであり、入出力部４０６は、入出力制御回路４０５を介してシステムバス４１６とデータの送受信が可能なように接続されている。本実施形態ではＣＰＵ４０１が出力部の情報の通知制御を行う。
【００２１】
他にも、入力部は外部のホストコンピュータのキーボードでもよく、外部のホストコンピュータからユーザーの指示を受付可能としてもよい。出力部は、ＬＥＤディスプレイやＬＣＤディスプレイ、ホスト装置と接続されているディスプレイでもよい。また、入出力部がタッチパネルである場合には、ソフトウェアキーによりユーザーからの指示を受付可能である。また、入出力部４０６はスピーカーとマイクであって、ユーザーからの入力を音声入力、ユーザーへの通知を音声出力としてもよい。
【００２２】
ＣＰＵ４０１とＲＯＭ４０２と同様の機能を持つＣＰＵとＲＯＭを備え、記録装置１００と外部接続される情報処理装置が、後述する記録媒体決定処理を行い、記録装置１００で使用する記録媒体を決定してもよい。
【００２３】
光学センサ２０１による測定を実施する場合には、ＣＰＵ４０１によりＬＥＤ制御回路４０７が駆動され、光学センサ２０１内の所定のＬＥＤが点灯するように制御される。光学センサ２０１の各フォトダイオードは受光した光に応じた信号を出力し、Ａ／Ｄ変換回路４０８によりデジタル信号に変換され、ＲＡＭ４０３に一旦保存される。記録装置１００の電源オフ時にも保存されるべきデータは、ＥＥＰＲＯＭ４０４に記憶される。
【００２４】
記録ヘッド制御回路４１１は、記録ヘッド１０２に搭載されセレクタやスイッチを含むノズル駆動回路に対して、記録データに応じた駆動信号を供給し、ノズルの駆動順序等、記録ヘッド１０２の記録動作の制御を行う。例えば、外部からＩ／Ｆ回路４１０に記録対象データが送信されてきた場合、記録対象データは、ＲＡＭ４０３に一旦保存される。そして、記録ヘッド制御回路４１１は、記録対象データから、記録のための記録データに変換された記録データに基づいて、記録ヘッド１０２を駆動する。その際、ＬＦ（ラインフィード）モータ駆動回路４１２は、記録データのバンド幅等に基づいてＬＦモータ４１３を駆動し、ＬＦモータ４１３と接続されている搬送ローラが回転することにより記録媒体を搬送する。ＣＲ（キャリッジ）モータ駆動回路４１４は、ＣＲ（キャリッジ）モータ４１５を駆動することによりキャリッジベルト１０３を介してキャリッジ１０１を走査させる。
【００２５】
Ｉ／Ｆ回路４１０から送られてくるデータには、記録対象データのみでなく、プリンタドライバで設定された内容のデータも含まれる。また、記録対象データは、例えば、Ｉ／Ｆ回路４１０を介して外部から受信して記憶部に格納されたり、ハードディスク等の記憶部に予め格納されたりしている場合もある。ＣＰＵ４０１は、画像データを記憶部から読み出して画像処理回路４０９を制御して、記録ヘッド１０２を用いるための記録データへの変換（二値化処理）を実行する。画像処理回路４０９は、二値化処理の他、色空間変換、ＨＶ変換、ガンマ補正、画像の回転等、種々の画像処理を実行する。
【００２６】
＜全体フロー＞
図５は、記録対象の記録媒体１０５の特性を測定した測定結果を取得し、測定結果と基準となる特性値とに基づいて入出力部４０６に記録媒体の候補を通知して記録対象の記録媒体の種類を決定する記録媒体決定処理を示すフローチャートである。以下の記録媒体決定処理においては、ユーザーが選択した記録媒体の種類の特性値について、測定値を新たな情報として得て、これに基づいて予め定められている特性値を測定値に近づけるように変更する。このような学習により、より精度よく記録媒体の種類を選択できるような特性値を獲得していく。
【００２７】
図５のＳ１０１〜Ｓ１１２までの各ステップの処理は、例えば、図４で示すＣＰＵ４０１がＲＯＭ４０２に記憶されたプログラムをＲＡＭ４０３に読み出して実行することで実現される。また、記録媒体決定処理はホスト装置のソフトウェアによって実行されてもよい。本実施形態において入出力部４０６は記録装置に備えられた操作パネルであるので記録媒体の候補の通知は操作パネルに記録媒体の名称を表示することによって行われる。入出力部４０６はホスト装置に接続されたディスプレイとホスト装置であってもよい。また、入出力部４０６が音声の入出力が可能なマイク機能のあるスピーカーである場合には記録媒体の候補の通知はスピーカーによって行われ、記録媒体の選択はマイクにユーザーが記録媒体の名称、或いは対応する符号を音声入力することによって行われる。
【００２８】
ＣＰＵ４０１は、入出力部４０６である操作パネルからユーザーによる給紙開始の指示を受け付けると記録媒体１０５の給紙処理を実施する。図６（ａ）は給紙処理開始の指示の入力を受け付ける操作パネルの表示例である。操作パネルはユーザーによるタッチ入力可能なタッチパネルである。「はい」の項目をタッチすると給紙が開始される。
【００２９】
図６（ａ）で「はい」の項目が選択され、給紙が開始されると、記録媒体１０５は搬送ローラによりプラテン１０６上の光学センサ２０１が検知可能な位置まで搬送される。記録媒体１０５が搬送されると、記録媒体１０５上をキャリッジ１０１がＸ方向に移動し、光学センサ２０１によって記録媒体１０５の乱反射値、正反射値、記録媒体の厚さの値（以下、紙厚）を取得する（ステップＳ１０１）。乱反射値は記録媒体の白色度と対応し、正反射値は記録媒体の光沢度と対応する。記録媒体の特性として、記録媒体のＸ方向の幅を使用して記録媒体決定処理を行ってもよい。記録媒体の特性の測定を行う位置は１箇所でもよいし、複数箇所の測定結果の平均を取ってもよい。また、特性の測定は光学センサ２０１が停止した状態で行ってもよいし、移動しながら行ってもよい。測定値は一旦ＲＡＭ４０３などのメモリに記憶される。
【００３０】
次いで、ＣＰＵ４０１は取得した測定値をメモリから読み出し、予め定められてＥＥＰＲＯＭ４０４に記憶されている各種記録媒体の特性値と比較する（ステップＳ１０２）。これにより、測定値が示す特性に該当する度合が所定の度合より高い記録媒体の種類を抽出する。詳しくは以下の通りである。図７（ａ）はＥＥＰＲＯＭ４０４に記憶されている記録媒体の種類毎の特性値を示す。この特性値は現段階が初期値であれば特性値＝Ｔ０である。この値を基準値として測定値との比較により、記録媒体の種類を判別する。この基準値の範囲を検出範囲とする。この検出範囲は、ユーザーに通知する記録媒体の候補を抽出するための抽出範囲である。以降は、この検出範囲を抽出範囲と称する。乱反射値、正反射値は、光学センサ２０１が光を受光して出力する出力電圧を１０ｂｉｔでＡ／Ｄ変換した値である。抽出範囲は、記録媒体の各特性値のｍｉｄｄｌｅ値を中心とするｍｉｎ値からｍａｘ値までの範囲である。紙厚は中心値から±５０μｍを抽出範囲とし、取得した紙厚が抽出範囲内の記録媒体の種類を抽出する（ステップＳ１０３）。
【００３１】
そして、抽出された記録媒体の種類があるか否かを判断する（ステップＳ１０４）。
【００３２】
抽出された記録媒体の種類が無い場合には、図６（ｂ）のように操作パネルに全てのカテゴリを表示する（ステップＳ１１４）。カテゴリは予め定められた順番に並べられて表示される。カテゴリの表示を行った場合には、ユーザーが選択したカテゴリの入力を受け付けると図６（ｃ）のようにカテゴリ内の記録媒体の種類を表示する。そして、表示した記録媒体の種類のうち選択された記録媒体の種類についての入力を受ける。入力は記録媒体の名称が表示されている項目をタッチすることによって行われる。図６（ｂ）では、記録媒体のカテゴリとは別に、「すべて」という項目を一番下に表示している。この「すべて」が選択されると全ての記録媒体が予め定められた順番で表示される。最近、即ち一番最後に使用された記録媒体から近い順番に表示するようにしてもよい。
【００３３】
ステップＳ１０４で抽出した記録媒体の種類がある場合、取得した乱反射値が、記憶手段ＥＥＰＲＯＭ４０４に記憶された乱反射値の抽出範囲内である記録媒体の種類を抽出する（ステップＳ１０５）。図７（ａ）で示すように、乱反射値の抽出範囲は中心値から±５の範囲である。ここで、抽出された記録媒体の種類があるか否かを判断する（ステップＳ１０６）。該当する記録媒体の種類が無い場合、図６（ｂ）のように操作パネルにカテゴリ表示を行う（ステップＳ１１４）。
【００３４】
ステップＳ１０６で抽出した記録媒体の種類がある場合、取得した正反射値が、記憶手段ＥＥＰＲＯＭ４０４に記憶された正反射値の抽出範囲内である記録媒体の種類を抽出する（ステップＳ１０７）。図７（ａ）で示すように、正反射値の抽出範囲は中心値から±５の範囲である。ここで、抽出された記録媒体の種類があるか否かを判断する（ステップＳ１０８）。該当する記録媒体の種類が無い場合、図６（ｂ）のように操作パネルにカテゴリ表示を行う（ステップＳ１１４）。
【００３５】
ステップＳ１０８で抽出した記録媒体の種類がある場合、抽出した記録媒体の種類を、測定値に特性値が近い記録媒体の方が優先順位の高い記録媒体として順位づけする（ステップＳ１０９）。表示の順序の決め方について詳しくは後述する。
【００３６】
記録媒体の種類の名称を、図６（ｄ）に示すように、ステップＳ１０９で決定した優先順位の高い順に上から表示する（ステップＳ１１０）。
【００３７】
図６（ｄ）の操作パネルに表示されているボタン４０をタッチすると画面の表示を下にスクロールすることができる。「ＳＴＯＰ」をタッチすると記録媒体決定処理を中止し、図６（ａ）の表示からホーム画面の表示に切り替わる。図６（ｄ）では優先度の高い順に記録媒体の名称の横に１〜３までの符号を付して表示している。記録媒体の種類の選択は、表示されている記録媒体の名称の項目をタッチすることによって行われる。ここでは、１の番号が振られているスタンダード半光沢紙の優先度が最も高い。符号は優先度の高さが分かるようなものであればよく、数字以外の符号でもよい。また、表示の方法はこれに限らず優先順をユーザーが認識可能であればよい。
【００３８】
図６（ｄ）では、記録媒体の候補を上から３つまで表示することができるが、抽出された記録媒体の種類は２種類であるため、図６（ｄ）では２つの記録媒体までしか表示していない。３つ目の欄には上記２つの記録媒体の名称よりも目立たないように「選択候補がありません」と薄く（或いは暗く）表示し、ユーザーには３つ目の候補がないことを報知する。例えば操作パネルの背景の色が黒の場合、記録媒体２つは白色で、「選択候補がありません」という内容は白よりも輝度の低い色であるグレーで表示する。「選択候補がありません」という内容の表示の下部には、用紙のカテゴリを表示する。このようにしてユーザーが所望する記録媒体が入出力部４０６に表示された記録媒体の中になかった場合に、その他の種類の記録媒体を選択するために、個別の記録媒体を選択できるようにしてある。本実施形態では、カテゴリは１位の記録媒体の種類が属するカテゴリを一番上に表示する。特性が近いカテゴリを上位に表示し、選択しやすくすることによって候補の記録媒体にユーザーが所望する記録媒体が無かった場合でも、所望の記録媒体のカテゴリを選択するまでの手間を少なくすることができる。
【００３９】
図８に他の形態の入出力部４０６における記録媒体の種類の候補の表示方法を示す。図８（ａ）のように、記録媒体の種類の候補が操作パネルに表示しきれない場合にはスクロール操作等によって下位の候補を表示可能にしてもよい。また、候補の上位から順に表示せずとも、優先順位をユーザーが認識可能であればよい。操作パネルの中央に最も上位の記録媒体の名称を表示させるようにしてもよいし、図８（ｂ）のように優先度が上位の記録媒体の名称を表示する文字の大きさを大きくする、太字にするなどして優先度の上下を表現してもよい。また、「用紙のカテゴリ」という表示の下にカテゴリが表示されているが、「用紙のカテゴリ」を意味する表示なしにカテゴリを表示するようにしてもよい。また、候補の記録媒体の下にはカテゴリではなく、候補以外の記録媒体の種類を表示してもよい。
【００４０】
また、図８（ｃ）のように優先度１位の記録媒体のみを表示するようにしてもよい。ユーザーが、抽出された他の記録媒体を選択したい場合には、図８（ｃ）ではスタンダード普通紙と表示されている記録媒体の項目の部分を選択することができる。この選択を受け付けると図６（ｄ）のような画面の表示になり、他の記録媒体を選択できるような表示方法でもよい。
【００４１】
ステップＳ１０８で抽出した記録媒体の種類が無い場合、図６（ｃ）のようにカテゴリ表示のみを行う（ステップＳ１１４）。
【００４２】
ステップＳ１１１にて、ユーザーが入出力部４０６から記録媒体の種類を選択すると、ステップＳ１１２では測定値が選択された記録媒体の学習範囲内か否かを判断する。ここで、学習範囲について説明する。予め定められた（あるいは学習過程を経て変更が行われた）特性値から大きくかけ離れた測定値に基づいて学習を行ってしまうと間違った値を学習してしまうこととなるため、学習する測定値の範囲である学習範囲が設定されている。学習範囲は、本実施形態では抽出範囲の２倍の範囲を持つ範囲である。学習範囲は特性値を変更するための範囲である。選択された記録媒体の学習範囲内に測定値が入っていた場合に、測定値に基づいて特性値を変更する。本実施形態において、学習範囲は特性値の中心値から、所定の値の範囲とするが、これはとｍｉｎ値との差分、あるいは中心値とｍａｘ値と差分の２倍の値の範囲である。例えば、図７（ａ）のスタンダード光沢紙の正反射値の抽出範囲は中心値から±５の９５〜１０５である。学習範囲は±５の２倍である中心値から±１０の範囲を取るため、学習範囲は９０〜１１０である。同じように、乱反射値、紙厚についても抽出範囲の２倍の範囲を取るため、スタンダード光沢紙の乱反射値の学習範囲は９０〜１００、紙厚の学習範囲は９０〜２９０である。学習範囲はこれに限らず、例えば抽出範囲と同じ範囲を取ってもよいし、特性や記録媒体の種類ごとに異なる学習範囲を設定してもよい。選択された記録媒体の種類の学習範囲の中に測定値が入っている場合にはステップＳ１１３に進み、ステップＳ１１１で選択された記録媒体の種類の特性値を測定値に基づいて変更した値に更新してＥＥＰＲＯＭ４０４に記憶させる。以上により記録媒体決定処理が終了する。学習範囲の中に測定値が入っていない場合には選択された記録媒体の種類の特性値を更新せずに記録媒体決定処理を終了する。特性値の更新について詳しくは後述する。
【００４３】
記録媒体決定処理が終了し、記録準備が完了すると、ユーザーからの記録ジョブを受け付ける状態となり、記録ジョブを受信したら記録を開始する。また、入出力部４０６からユーザーが選択して入力された記録媒体の種類と、ホストコンピュータから記録装置１００に送信されたジョブの記録媒体の種類が異なっている場合は、ＥＥＰＲＯＭ４０４に記憶している記録媒体の特性値を更新しないようにしてもよい。
【００４４】
図５の記録媒体決定処理では、ステップＳ１０３で該当する紙厚を有する記録媒体の種類を抽出し、ステップＳ１０５で該当する乱反射値を有する記録媒体の種類を、ステップＳ１０７で該当する正反射値を有する記録媒体の種類を抽出している。抽出する順番はこれに限らず、例えば乱反射値が該当する記録媒体の種類をまず抽出するようにしてもよい。
【００４５】
光学センサ２０１が記録装置とは別体の測定機器に設けられている場合には、まず測定機器にセットされた記録媒体の特性を測定によって測定する。そして取得した測定値を記録装置に送信し、記録装置のＣＰＵ４０１によって記録媒体を抽出して、入出力部４０６に候補を通知するような形態でもよい。
【００４６】
以下に具体例を挙げながら記録媒体決定処理のステップＳ１１０の表示の順序の決め方、ステップＳ１１３の特性値の更新について説明する。ステップＳ１０１で取得した記録媒体の特性が、図９に示すように、（乱反射値、正反射値、紙厚）＝（１０３、９８、２２５）である。図１０にステップＳ１０３〜Ｓ１０７の処理の判定結果を示す表である。「○」は測定値が抽出範囲内に入った記録媒体を、「×」は測定値が抽出範囲に入らなかった記録媒体を示す。抽出範囲に入らなかった特性値がある記録媒体は次の処理で判定自体を行わない。これを図１０では「判定しない」と表示している。
【００４７】
ステップＳ１０３では、図７（ａ）に示す紙厚の抽出範囲に、取得した紙厚１９０が入る記録媒体の種類である、スタンダード光沢紙、スタンダード半光沢紙、プレミアム光沢紙、厚口光沢紙が抽出される。抽出した記録媒体の種類があるのでステップＳ１０４はＹｅｓとなり、ステップＳ１０５に進む。
【００４８】
ステップＳ１０５では、ステップＳ１０３で抽出した記録媒体の中から、図７（ａ）に示す乱反射値の抽出範囲に、測定した乱反射値１０３が入る記録媒体の種類である、スタンダード光沢紙、スタンダード半光沢紙、厚口光沢紙が抽出される。抽出した記録媒体の種類があるのでステップＳ１０６はＹｅｓとなり、ステップＳ１０７に進む。
【００４９】
ステップＳ１０７では、ステップＳ１０５で抽出した記録媒体の中から、図７（ａ）に示す正反射値の抽出範囲に、測定した正反射値が入る記録媒体を抽出する。ここではスタンダード光沢紙、スタンダード半光沢紙と、厚口光沢紙が抽出される。抽出した記録媒体があるのでステップＳ１０８はＹｅｓとなり、ステップＳ１１０に進む。
【００５０】
ステップＳ１０９では、特性値が測定値に近い記録媒体の方が優先順位の高い記録媒体として順位をつける。そして、ステップＳ１１０では抽出した記録媒体の種類の名称を、優先順位の高い記録媒体から順に上から表示する。
【００５１】
図１１はステップＳ１０９における順位の決定方法について説明するための図である。本実施形態では、以下の計算方法によって各特性の中心値と測定値の近さを計算する。
｜（測定値−特性の中心値）／（特性のｍａｘ値−特性の中心値）｜
特性のｍａｘ値の代わりにｍｉｎ値を使用してもよい。
例えばスタンダード光沢紙の正反射値について計算すると、｜（１０３−１００）／（１０５−９５）｜＝０．６である。ステップＳ１０５で抽出した記録媒体の種類について上記の計算を行い、各特性の測定値への近さの値を合計する。合計値が小さい記録媒体ほど測定値に近いことを示す。合計値の小さい記録媒体ほど上位の記録媒体の種類と判断し、入出力部４０６に表示を行う。ここでは、図６（ｅ）に示すように、スタンダード光沢紙、厚口光沢紙、スタンダード半光沢紙の順に表示を行う。
【００５２】
ステップＳ１１１でユーザーによって表示順位が３位のスダンダード半光沢紙が選択された場合のステップＳ１１２の処理について説明する。
【００５３】
ステップＳ１１２では、ステップＳ１０１で取得した測定値が、選択された記録媒体の種類であるスダンダード半光沢紙の学習範囲内か否かを判定する。乱反射値、正反射値、紙厚、の全ての特性の学習範囲内である場合にスタンダード半光沢紙の学習範囲であると判定する。図７（ａ）に示すように、スタンダード半光沢紙の正反射値の抽出範囲は中心値（ｍｉｄｄｌｅ）を９９として±５の範囲である９４〜１０４である。上述したように学習範囲は抽出範囲と同じ中心値から、抽出範囲の２倍の範囲を取る。スタンダード半光沢紙の正反射値の学習範囲は中心値を９９として±１０の範囲である８９〜１０９である。同様にしてスタンダード半光沢紙の乱反射値の学習範囲は８５〜１０５、紙厚の学習範囲は９０〜２９０である。以上の学習範囲に、測定値（乱反射値、正反射値、紙厚）＝（１０３、９８、２２５）の全てが入っているため、ステップＳ１１３に進む。
【００５４】
ステップＳ１１３では、測定値に基づいて選択された記録媒体の種類の特性値を更新する。図７（ａ）に示す特性値は更新する前の特性値であり、図９には測定値を示す。本実施形態では、記録媒体の種類の特性値を測定値に一定の割合で近づける。ここで測定値には測定誤差が含まれるため、測定値をそのまま特性値として一度に置き換えるよりも、測定値と特性値との差分が一定割合ずつ少なくなってゆくように、複数回の学習により段階的に差分が解消するようにするとよい。その一例を一般化した式で表すと以下のようになる。
更新後の特性値（Ｔｎ＋１）＝（測定値（Ｒ）−特性値（Ｔｎ））×α＋更新前の特性値（Ｔｎ）
ここで、αは特性値を測定値に近づける割合を示す値である。近づける割合を２５％とすると、正反射値の中心値は以下のようになる。例えば、Ｔｎ＝Ｔ０（初期値）である場合には、１回目の更新によりＴ１が求められる。
Ｒ＝１０３，Ｔｎ＝Ｔ０＝９９，である場合には、下記のようにしてＴ１が求められる。
Ｔ１＝（１０３−９９）×０．２５＋９９＝１００
同様に乱反射値、紙厚の特性値を更新する。更新した結果を図７（ｂ）に示す。抽出範囲は、正反射値、乱反射値は中心値から±５、紙厚は中心値から±５０ということは変更せずに、中心値に合わせてｍｉｎ値、ｍａｘ値も更新する。更新した特性値はＥＥＰＲＯＭ４０４のスタンダード半光沢紙の特性値として、元の特性値と書き換えて記憶され、次回以降の記録媒体決定処理に使用される。以上で記録媒体決定処理が終了する。
【００５５】
以上の例では、特性値を更新する際には、特性値から２５％測定値に近づけたが、近づける割合はこれに限らず、０％より大きく１００％以下の割合であればよい。また、近づける割合は記録媒体の種類ごとに設定されていても、特性ごとに設定されていてもよい。
【００５６】
図７（ｂ）のように特性値を更新した状態で、再び記録媒体の特性が、（乱反射値、正反射値、紙厚）＝（１０３、９８、２２５）であるスタンダード半光沢紙を測定する。測定値に特性値が近い順に順位づけした結果を図１１（ｂ）に示す。スタンダード半光沢紙の特性値を更新したことによって、スタンダード半光沢紙の順位が１位になった。そのため、ステップＳ１１０にて入出力部４０６には、測定した記録媒体であるスタンダード半光沢紙が最も上位の記録媒体として表示されることになり、ユーザーがより選択しやすくなる。
【００５７】
また、測定値を記録媒体の種類の特性値を反映させる他の方法として、過去Ｎ回分の測定値の平均値を特性値として設定するようにしてもよい。図１２は、過去３回の測定値によって特性値を設定する方法を説明するための図である。ここではスタンダード半光沢紙の正反射値を例にとって説明する。図１２（ａ）はステップＳ１１１において１回もスタンダード半光沢紙が選択されていない場合を示す。図１２（ａ）では初期設定の値である９９が過去３回分の値として入力されており、平均値も９９のため特性値は９９となっている。図１２（ｂ）はスタンダード半光沢紙が選択されると、測定値１０３が１回前測定値として入力される。測定値１０３が入力されたときの平均値１００．３を次回以降使用する特性値として設定する。図１２（ｃ）は更にスタンダード半光沢紙が選択された場合を示しており、１回前測定値として１０４が入力されている。このときの平均値である１０２を次回以降使用する特性値として設定する。図１２（ｄ）は、図１２（ｃ）の状態から更にスタンダード半光沢紙が選択された場合を示しており、１回前測定値として１０２が入力されている。このときの平均値１０３を次回以降使用する特性値として設定する。
【００５８】
以上のように、給紙した記録媒体の特性値を取得して、測定値と近い記録媒体の種類が上位に通知されるようにする。このようにすることによって、ユーザーが選択する可能性が高い種類の記録媒体が優先的に通知され、ユーザーの希望の記録媒体の種類を選択する際の手間を削減することができる。
【００５９】
（第２の実施形態）
第１の実施形態では抽出した記録媒体の種類を、特性値が測定値に近い順に通知した。本実施形態では、履歴情報によって通知する順番を決定する。
【００６０】
本実施形態では、ＥＥＰＲＯＭ４０４はこれまで給紙され、ユーザーに選択された記録媒体の種類の履歴を記憶する。ユーザーに選択された記録媒体は、第１の実施形態の図５のステップＳ１１１において選択された記録媒体のことである。記憶した情報は履歴情報として扱う。
【００６１】
本実施形態の記録媒体決定処理のフローチャートを図１３に示す。図１３のステップＳ２０１〜Ｓ２０８、Ｓ２１７は第１の実施形態の図５のステップＳ１０１〜Ｓ１０８、Ｓ１１４と同様の処理を行う。
【００６２】
ステップＳ２０９では、抽出した記録媒体の種類の使用履歴があるか否かをＥＥＰＲＯＭ４０４に記憶された履歴情報に基づいて判断する。ＥＥＰＲＯＭ４０４には図１４のようにこれまでに記録装置１００で使用された記録媒体が、使用された時期の近さを示す情報と紐づけられて記憶されている。同一種類の記録媒体が複数回使用された場合には、最後に使用された情報をのみを履歴としている。図１４では履歴順の欄に振られた番号が小さい記録媒体の方が最近使用された記録媒体であることを示している。
【００６３】
ステップＳ２０９で抽出した記録媒体の種類が履歴情報に無い場合、ステップＳ２１５にて図５のステップＳ１０９と同様に、抽出した記録媒体の種類を、測定値に特性値が近い記録媒体の方が優先順位の高い記録媒体として順位づけする。
【００６４】
ステップＳ２１６で、ステップＳ２１５で決定した優先順位に従って図６（ｄ）のように操作パネルに記録媒体の名称を順に表示し、ステップＳ２１１に進む。
【００６５】
ステップＳ２０９で抽出した記録媒体の種類が履歴情報にある場合、ステップＳ２１０において図１５に示すように、抽出された記録媒体の種類を、同一種類の記録媒体は重複分を一つにまとめて表示する。図１５ではこれまでに使用された記録媒体の種類を、最近使用された記録媒体の方が優先順位の高い記録媒体として、優先順位の高い記録媒体の名称を上から順に表示する。ここでは、３種類の記録媒体の名称を表示できるが、抽出されかつ履歴情報のある２種類の記録媒体しか表示していない。その場合、３つめの枠には「選択履歴がありません」と履歴情報が無いことを示す情報を表示する。
【００６６】
ステップＳ２１１〜Ｓ２１３は図５のステップＳ１１１〜Ｓ１１３と同様の処理を行う。ステップＳ２１１にて、ユーザーが入出力部４０６から記録媒体の種類を選択すると、ステップＳ２１２にて測定値が選択された記録媒体の学習範囲内か否かを判断する。測定値が選択された記録媒体の学習範囲内でない場合にはステップＳ２１４に進む。測定値が選択された記録媒体の学習範囲内である場合には、ステップＳ２１３にて、選択された記録媒体の特性値を測定値に基づいて変更し、更新する。
【００６７】
次にステップＳ２１４にて履歴情報を、選択された記録媒体の種類を最新の使用履歴とした情報に更新する。以上により本実施形態の記録媒体決定処理を終了する。
【００６８】
測定値が選択された記録媒体の学習範囲内に入らなかった場合（ステップＳ２１２：ＮＯ）には、ステップＳ２１４にて履歴情報を更新しないようにしてもよい。
【００６９】
以上のように、本実施形態では使用したことのある記録媒体の種類を候補の上位として通知する。これによりユーザーが使用する可能性の高い種類の記録媒体が優先的に通知され、ユーザーの希望の記録媒体を選択する際の手間を削減することができる。
【００７０】
（第３の実施形態）
第１の実施形態では、ＥＥＰＲＯＭ４０４に記憶されている記録媒体の種類の特性値自体を補正し、補正した特性値と測定値とを比較した。本実施形態では、ＥＥＰＲＯＭ４０４に記憶されている記録媒体の種類の特性値とは別に補正値を持つ。学習により、補正値は更新されていくが、特性値は初期値であるＴ０から変更されない。そして補正値Ｃｎによって特性値Ｔ０を補正した値を基準となる特性値として測定値と比較する。補正値はＣ０を初期値としてｎ回目の補正値をＣｎとする。第１の実施形態と同様の部分については省略する。
【００７１】
本実施形態の記録媒体決定処理は図５のステップＳ１０１、Ｓ１０３〜Ｓ１１２、Ｓ１１４は第１の実施形態と同様の処理を行う。ここではステップＳ１０２、Ｓ１１３について主に説明する。
【００７２】
ＥＥＰＲＯＭ４０４には各記録媒体の種類の特性値とは別に、特性値を補正するための補正値を記憶している。測定値と比較する際には、図７（ａ）に示す予め定められた特性値と、補正値とに基づいて求められる補正済み特性値を算出し、測定値と比較する。本実施形態においては、測定値と比較する際の基準となる特性値を特性値Ｔ０と補正値Ｃｎとを合算したＴ０＋Ｃｎとする。
【００７３】
ステップＳ１０２では、ステップＳ１０１で取得した測定値と記録媒体の種類の補正済み特性値とを比較する。ステップＳ１０２で算出された基準となる特性値Ｔ０＋Ｃｎを使用してステップＳ１０３〜Ｓ１１２の処理を行う。
【００７４】
ステップＳ１１３では、ユーザーによって選択された記録媒体の特性値の補正値を学習した値に更新する。記録媒体の種類の補正済み特性値を測定値に一定の割合で近づけるように補正値を更新する。その例を一般化した式で表すと以下のようになる。αは近づける割合を示す。
更新後の補正値（Ｃｎ＋１）＝（測定値（Ｒ）−基準となる特性値（Ｔ０＋Ｃｎ））×α＋更新前の補正値（Ｃｎ）
【００７５】
（第４の実施形態）
第１の実施形態及び第２の実施形態では、測定値に基づいて特性値を変更した。しかしながら、記録媒体の種類の抽出の精度を上げるように特性値が変更されない場合が想定される。例えば、ユーザーが誤って希望の記録媒体とは異なる記録媒体の種類を選択してしまう場合が考えられる。このような場合には、誤って選択された記録媒体の種類の特性値が測定値に基づいて変更されるため、変更後の特性値では記録媒体の種類を精度よく抽出できない虞がある。
【００７６】
以上のような状況となった場合は、特性値の変更を元に戻したほうが良いとも考えられる。本実施形態は変更させた特性値を元に戻す形態について説明する。複数のユーザーによって使用されている場合には、前のユーザーの使用による特性値の変更まで遡って特性値を元に戻してもよい。一例として初期値に戻すことが可能な形態について説明する。ここでの初期値とは、記録装置１００がユーザーに初めて使用されるときに予めＥＥＰＲＯＭ４０４に記憶されている記録媒体の特性値のことである。
【００７７】
なお、本実施形態の記録装置は履歴情報に基づいて記録媒体の候補を表示する第２の実施形態に記載の記録装置であるとして説明する。また、既に説明した実施形態と同様の部分については省略して説明する。記録媒体決定処理において、ユーザーが記録媒体の種類の選択を間違えた場合には学習済み特性値のデータのリセットを推奨する通知を行ってもよい。ユーザーに通知することでリセットを促し、正しくない候補を抽出して通知することを防ぐことができる。
【００７８】
図１６にリセット処理のフローチャートを示す。リセット処理は、ＲＯＭ４０２に格納されたプログラムに従ってＣＰＵ４０１が実行する処理である。
【００７９】
ＥＥＰＲＯＭ４０４には、図７（ａ）に示すような、初期値として予め記憶されている記録媒体の種類の特性値と、図７（ｂ）に示すような学習によって変更された記録媒体の種類の学習済み特性値と、の両方が記憶されている。学習によって変更される特性値は図７（ｂ）であり、図１３の記録媒体決定処理において図７（ｂ）に示す学習済み特性値が、光学センサ２０１によって測定された測定値と比較され、候補の記録媒体の種類が抽出される。初期値として記憶されている特性値は変更されない。学習済み特性値を初期値に戻す処理は、ＥＥＰＲＯＭ４０４に記憶された特性値の初期値を、学習済み特性値が格納されている領域に格納することによって実行される。
【００８０】
本実施形態では、記録媒体の種類の推定のためのデータである学習済み特性値を初期値に戻す「推定データリセット」処理と、リセット対象の記録媒体の種類に対して設定されたすべての情報をリセットする「用紙情報リセット」処理を行うことができる。以下、学習済み特性値のデータを推定データとも称する。用紙情報リセット処理は、学習済み特性値を初期値に戻す処理に加え、履歴情報をリセットして履歴情報として記憶されている情報をクリアする処理を含む、すべての記録媒体紐づいて設定されている情報を初期状態に戻す処理である。第３の実施形態のように、記録媒体の特性値と補正値とを持つ形態でもよい。その場合には、推定データのリセットは補正値を初期値に戻すことによって行われる。
【００８１】
まずステップＳ１６０１では入出力部４０６にホーム画面（図１７（ａ））を表示する。なお、図１７（ａ）はホーム画面に表示されている項目のうち「本体設定」が選択されたときの様子を示している。項目が選択されると、選択された項目が強調表示され、次の画面が表示される。図１７では項目の背景を他の項目の色とは異ならせ、項目の枠を太くすることによって強調表示する。
【００８２】
ホーム画面において「本体設定」が選択されると、ステップＳ１６０２で入出力部４０６に図１７（ｂ）に示すような本体設定画面を表示する。本体設定画面から「用紙関連の設定」が選択されると、図１７（ｂ）に示すように「用紙関連の設定」が強調表示され、ステップＳ１６０３にて図１７（ｃ）に示すような用紙関連の設定画面を表示する。なお、図１７（ｃ）は、設定画面において「用紙の詳細設定」が選択されたときの様子を示している。用紙関連の設定画面では、記録を行う際の記録ヘッド１０２の高さを設定するための項目や、ロール紙をカットする際のカットスピードを設定するための項目など、記録装置１００に設定されている記録媒体情報の設定を行うための項目を表示する。
【００８３】
ユーザーが全ての記録媒体の種類について学習した特性値をリセットしたい場合には、ユーザーは用紙関連の設定画面にて「用紙選択の全推定データをリセット」を選択する。「用紙選択の全推定データをリセット」が選択されると、ステップＳ１６０４にて全ての記録媒体の種類の学習済み特性値をＥＥＰＲＯＭ４０４に記憶されている図７（ａ）に示す初期値に戻す。全推定データをリセットする処理についての詳細は後述する。
【００８４】
ユーザーが全ての記録媒体の記録媒体情報をリセットしたい場合には、ユーザーは「すべての用紙情報をリセット」を選択する。「すべての用紙情報をリセットする」が選択されると、ステップＳ１６０５にて特性値、履歴情報を含む初期化可能なデータを初期値に戻す。すべての記録媒体情報をリセットする処理について詳しくは図１９を用いて後述する。
【００８５】
ユーザーが記録媒体の種類毎に特性値の学習や履歴情報をリセットしたい場合には、「用紙の詳細設定」を選択する。「用紙の詳細設定」が選択されると、ステップＳ１６０６にて記録媒体の種類毎に特性値や履歴情報をリセットする処理を行う。詳しくは図２０を用いて後述する。
【００８６】
以上によりリセット処理を終了する。
【００８７】
図１６のステップＳ１６０４の用紙選択の全推定データをリセットする処理について説明する。図１８はステップＳ１６０４の処理を示すフローチャートである。
【００８８】
用紙関連の設定画面（図１７（ｃ））から「用紙選択の全推定データをリセット」という項目が選択されると、ステップＳ１８０１において図１７（ｇ）のように確認画面を表示する。確認画面において「はい」が選択されると（ステップＳ１８０２：Ｙｅｓ）、ステップＳ１８０３にて全ての記録媒体の種類の学習済み特性値を初期値に戻す。次に、ステップＳ１８０５において入出力部４０６に用紙関連の設定画面を表示し、処理を終了する。
【００８９】
確認画面において「はい」が選択されず（ステップＳ１８０２：Ｎｏ）、「いいえ」が選択された場合には（ステップＳ１８０４：Ｙｅｓ）、ステップＳ１８０５にて用紙関連の設定画面を入出力部４０６に表示し、処理を終了する。確認画面において「はい」が選択されず（ステップＳ１８０２：Ｎｏ）、「いいえ」も選択されない場合には（ステップＳ１８０４：Ｎｏ）、どちらかが選択されるまで確認画面の表示を行う。
【００９０】
以上のようにして用紙選択の全推定データをリセットする処理を実行する。
【００９１】
次に図１６のステップＳ１６０５のすべての記録媒体情報をリセットする処理について説明する。図１９はステップＳ１６０５の処理を示すフローチャートである。
【００９２】
用紙関連の設定画面（図１７（ｃ））から「すべての用紙情報をリセット」という項目が選択されると、ステップＳ１９０１において図１７（ｈ）のように確認画面を表示する。確認画面において「はい」が選択されると（ステップＳ１９０２：Ｙｅｓ）、ステップＳ１９０３にて全ての記録媒体の種類に設定されている記録媒体情報を初期値に設定する。記録媒体情報には、記録媒体の種類の特性値、履歴情報の他に、例えば、記録を行う際の記録ヘッド１０２の高さの設定、ロール紙をカットする際のカットスピードなどが含まれる。次に、ステップＳ１９０５において入出力部４０６に用紙関連の設定画面を表示し、処理を終了する。
【００９３】
確認画面において「はい」が選択されず（ステップＳ１９０２：Ｎｏ）、「いいえ」が選択された場合には（ステップＳ１９０４：Ｙｅｓ）、ステップＳ１９０５にて用紙関連の設定画面を入出力部４０６に表示し、処理を終了する。確認画面において「はい」が選択されず（ステップＳ１９０２：Ｎｏ）、「いいえ」も選択されない場合には（ステップＳ１９０４：Ｎｏ）、どちらかが選択されるまで確認画面の表示を行う。
【００９４】
以上のようにして用紙選択のすべての記録媒体情報をリセットする処理を実行する。
【００９５】
次に図１６のステップＳ１６０６の記録媒体の種類毎にリセットする処理について説明する。図２０はステップＳ１６０６の処理を示すフローチャートである。
【００９６】
用紙関連の設定画面（図１７（ｃ））から「用紙の詳細設定」という項目が選択されると、ステップＳ２００１において図１７（ｄ）のように記録媒体の種類を選択する画面を表示する。図１７（ｄ）では記録媒体のカテゴリを選択可能である。図１７（ｄ）は普通紙のカテゴリを選択したときの様子を示している。例えば普通紙のカテゴリを選択するとステップＳ２００２にて普通紙のカテゴリに属する記録媒体の種類である「スタンダード普通紙」と「プレミアム普通紙」を表示する（図１７（ｅ））。図１７（ｅ）はスタンダード普通紙が選択されたときの様子を示している。
【００９７】
ステップＳ２００２にて記録媒体の種類が選択されると、ステップＳ２００３にて図１７（ｆ）のように選択された記録媒体の種類の詳細設定画面を表示する。図１７（ｆ）は「用紙選択の推定データをリセット」という項目が選択されたときの様子を示している。図１７（ｆ）の画面からは記録媒体の種類ごとに紙管外形サイズや紙の厚さなどの設定を行うことができる。この画面から、記録媒体の種類の特性値の学習をリセットする、または記録媒体情報をリセットすることができる。
【００９８】
図１７（ｆ）の画面において「用紙選択の推定データをリセット」が選択されると、ステップＳ２００４にて推定データをリセットし、記録媒体の種類の学習済み特性値を初期値に設定する処理を行う。ステップＳ２００４の処理は、上述した図１９の処理と同様の処理を行い、ステップＳ１９０３では選択された記録媒体の種類の特性値を初期値に戻す。
【００９９】
図１７（ｆ）の画面において、「用紙情報をリセット」が選択されると、ステップＳ２００５にて特性値、履歴情報を含むすべてのデータを初期値に戻す。ステップＳ２００５の処理は、上述した図２０の処理と同様の処理を行い、ステップＳ２００３では選択された記録媒体の種類に設定されている用紙情報を初期値に戻す。履歴情報は、リセットする記録媒体の種類の履歴情報のみ削除し、他の記録媒体の種類の履歴情報は残して記憶する。
【０１００】
ステップＳ２００４、ステップＳ２００５の処理を終えるとステップＳ２００６に進み、他の記録媒体の種類についてもリセット処理を行うか否かを選択させるための表示を行う。リセットすると選択された場合にはステップＳ２００１に戻る。リセットしないと選択された場合にはステップＳ２００３と同様に選択された記録媒体の種類の詳細設定画面（図１７（ｆ））を表示し、処理を終了する。
【０１０１】
上述の説明では、推定データをリセットする処理によって記録媒体の種類の特性値を初期値に設定し、記録媒体情報をリセットする処理によって記録媒体の種類の特性値を初期値に設定し履歴情報をリセットした。特性値を初期値に戻すことで、記録媒体の種類の候補を抽出する精度が低くなることを防ぐことができ、ユーザーが利便性を欠くことを抑制することができる。
【０１０２】
他にも、履歴情報のみをリセットする処理を行ってもよい。例えば記録装置１００を使用する人が変わった場合には履歴情報に基づいて記録媒体の種類の候補が表示されても、新たに使用する人が頻繁に使用する記録媒体の種類とは異なる種類が候補の上位として表示される場合が考えられる。そのような場合には、学習した記録媒体の種類の特性値はリセットせずに、履歴情報のみリセットすることで、精度を高めたまま候補の記録媒体を抽出することができるためユーザーの利便性が向上する。
【０１０３】
また、特性値の変更をリセットして記録媒体の特性値を初期値に設定したが、初期値まで変更を戻さなくてもよい。例えば直近１回又は数回分の変更をリセットするようにしてもよい。また、特性値の変更をリセットするタイミングは、ユーザーがリセットするための情報を入力したとき以外でもよい。例えば記録装置１００を使用する環境が変化した場合や、使用するユーザーが変わったときなどでリセットを行ってもよい。
【符号の説明】
【０１０４】
１０１  記録装置
１０５  記録媒体
２０１  光学センサ
４０１  ＣＰＵ
４０４  ＥＥＰＲＯＭ
４０６  操作パネル
【図１】
2020163599.tif 000003
【図２】
2020163599.tif 000004
【図３】
2020163599.tif 000005
【図４】
2020163599.tif 000006
【図５】
2020163599.tif 000007
【図６】
2020163599.tif 000008
【図７】
2020163599.tif 000009
【図８】
2020163599.tif 000010
【図９】
2020163599.tif 000011
【図１０】
2020163599.tif 000012
【図１１】
2020163599.tif 000013
【図１２】
2020163599.tif 000014
【図１３】
2020163599.tif 000015
【図１４】
2020163599.tif 000016
【図１５】
2020163599.tif 000017
【図１６】
2020163599.tif 000018
【図１７】
2020163599.tif 000019
【図１８】
2020163599.tif 000020
【図１９】
2020163599.tif 000021
【図２０】
2020163599.tif 000022